(57)【要約】      （修正有）【課題】ねじり力でねじり切れることがなくて、変形、衝撃から保護することができ、寿命を向上する耐衝撃性ビットを提供する。【解決手段】耐衝撃性ビット１００は、抗ねじり部１０と、２区間の第１抗衝撃部１１と、２区間の過渡部１２と、２区間の第２抗衝撃部１３とを含む。抗ねじり部１３の軸方向の長さが２ｃｍ未満である時、抗ねじり部１０の中心軸に沿う断面において抗ねじり部１０の輪郭線は第１弧形である。抗ねじり部１０の軸方向の長さが２ｃｍよりも大きい時、抗ねじり部１０の中心軸に沿う断面において抗ねじり部１０の輪郭線は、１区間の直線と、直線の両端にそれぞれ設けられる２区間の第２弧形とを含む。第１弧形と第２弧形との直径は等しい。この耐衝撃性ビット１００の受けるねじり力を、主に抗ねじり部１０に集中するように伝え、当該抗ねじり部１０の受けるねじり力がその降伏限界よりも小さい。【選択図】図２
0003219704.tif 000002
【実用新案登録請求の範囲】
【請求項１】
１区間の抗ねじり部と、前記抗ねじり部の軸方向の両側にそれぞれ設けられる２区間の第１抗衝撃部と、前記第１抗衝撃部の軸方向の両側にそれぞれ設けられる２区間の過渡部と、前記過渡部の軸方向の両側にそれぞれ設けられる２区間の第２抗衝撃部と、を含み、前記抗ねじり部の軸方向の長さが２ｃｍ未満である時、前記抗ねじり部の中心軸に沿う断面において前記抗ねじり部の輪郭線は第１弧形であり、前記抗ねじり部の軸方向の長さが２ｃｍよりも長い時、前記抗ねじり部の中心軸に沿う断面において前記抗ねじり部の輪郭線は、１区間の直線と、前記直線の両端にそれぞれ設けられる２区間の第２弧形と、を含み、前記第１弧形と第２弧形の直径は等しく、前記第１抗衝撃部の断面の外接円の直径は、前記抗ねじり部の断面の最大直径よりも大きく、前記抗ねじり部の中心軸に沿う断面において前記過渡部の輪郭線は第３弧形であることを特徴とする耐衝撃性ビット。
【請求項２】
抗衝撃部の軸方向の両側にそれぞれ設けられる２つのビットをさらに含むことを特徴とする請求項１に記載の耐衝撃性ビット。
【請求項３】
前記第１抗衝撃部の断面の外接円の直径は、前記第２抗衝撃部の断面の外接円の直径と等しいことを特徴とする請求項１または２に記載の耐衝撃性ビット。
【請求項４】
前記耐衝撃性ビットの中心軸に対して前記第１弧形、前記第２弧形、および前記第３弧形の少なくともいずれかの曲率は負であることを特徴とする請求項１乃至３のいずれか一項に記載の耐衝撃性ビット。
【請求項５】
前記第１弧形または前記第２弧形の曲率が前記第３弧形の曲率よりも小さいことを特徴とする請求項１乃至４のいずれか一項に記載の耐衝撃性ビット。
【請求項６】
前記第１抗衝撃部の軸方向の長さが前記第２抗衝撃部の軸方向の長さよりも長いことを特徴とする請求項１乃至５のいずれか一項に記載の耐衝撃性ビット。
【請求項７】
前記抗ねじり部の断面の最小直径が前記過渡部の断面の最小直径よりも短いことを特徴とする請求項１乃至６のいずれか一項に記載の耐衝撃性ビット。
【請求項８】
前記第１抗衝撃部および第２抗衝撃部の少なくともいずれかの断面形状は、正六角形であることを特徴とする請求項１乃至７のいずれか一項に記載の耐衝撃性ビット。
【考案の詳細な説明】
【技術分野】
【０００１】
本考案は、工具の技術分野に属し、特に、耐衝撃性ビットに関するものである。
【背景技術】
【０００２】
従来技術において、一般的なビットの接続模様はいずれもストレートな柱体である。即ち、ビットを除いて、他の部分の軸方向に沿う直径がいずれも同じであり、使用時に、特に起動直後、ビットの受ける衝撃力の全てがビットに集中されることで、ビットは数回使用すると変形してしまい、割れ目が生じる場合もあって、さらに使用できなくなり、その寿命を短くする。
【考案の概要】
【考案が解決しようとする課題】
【０００３】
本考案は、上記したことに鑑みてなされたものであり、上記課題を解決するために、寿命を大幅に向上させることができる耐衝撃性ビットを提供することを目的とする。
【課題を解決するための手段】
【０００４】
耐衝撃性ビットは、１区間の抗ねじり部と、前記抗ねじり部の軸方向の両側にそれぞれ設けられる２区間の第１抗衝撃部と、前記第１抗衝撃部の軸方向の両側にそれぞれ設けられる２区間の過渡部と、前記過渡部の軸方向の両側にそれぞれ設けられる２区間の第２抗衝撃部とを含んでいる。前記抗ねじり部の軸方向の長さが２ｃｍ未満である時、前記抗ねじり部の中心軸に沿う断面において前記抗ねじり部の輪郭線は第１弧形である。前記抗ねじり部の軸方向の長さが２ｃｍよりも大きい時、前記抗ねじり部の中心軸に沿う断面において前記抗ねじり部の輪郭線は、１区間の直線と、前記直線の両端にそれぞれ設けられる２区間の第２弧形とを含んでいる。前記第１弧形と第２弧形の直径は等しい。前記第１抗衝撃部の断面の外接円の直径は、前記抗ねじり部の断面の最大直径よりも大きい。前記抗ねじり部の中心軸に沿う断面において前記過渡部の輪郭線は第３弧形である。
【考案の効果】
【０００５】
本考案が提供する耐衝撃性ビットは、従来技術と比較して、その中央部にはサイズの大きさに応じて異なる形状を呈する前記抗ねじり部が設けられている。即ち、前記抗ねじり部の軸方向の長さが２ｃｍ未満である時、前記抗ねじり部の中心軸に沿う断面において前記抗ねじり部の輪郭線は第１弧形であり、前記抗ねじり部の軸方向の長さが２ｃｍよりも大きい時、前記抗ねじり部の中心軸に沿う断面において前記抗ねじり部の輪郭線は、１区間の直線と、前記直線の両端にそれぞれ設けられる２区間の第２弧形とを含んでいる。このような構造設計は、耐衝撃性ビットの使用時に、当該耐衝撃性ビットの受けるねじり力をビットに集中させることではなく、主に当該抗ねじり部に集中するように伝え、当該抗ねじり部の受けるねじり力がその降伏限界よりも小さくて、即ち、当該ねじり力で当該抗ねじり部がねじり切れることがなくて、当該ビットを変形、ひいては割れ目の現像が生じないように衝撃から保護することができ、さらにその寿命を向上することができる。
【図面の簡単な説明】
【０００６】
【図１】本考案の第１実施例が提供する耐衝撃性ビットの構造模式図の一例である。
【図２】図１の耐衝撃性ビットのその軸方向に沿う断面構造模式図の一例である。
【図３】本考案の第２実施例が提供する耐衝撃性ビットの構造模式図の一例である。
【図４】図３の耐衝撃性ビットのその軸方向に沿う断面構造模式図の一例である。
【考案を実施するための形態】
【０００７】
以下、本考案の具体的な実施例についてさらに詳しく説明する。また、ここの本考案の実施例に対する説明が本考案の保護範囲を限定するものではないことはよく理解できるであろう。
【０００８】
図１乃至図２に、本考案の第１実施例が提供する耐衝撃性ビットの構造模式図の一例を示す。前記耐衝撃性ビット１００は、１区間の抗ねじり部１０と、前記抗ねじり部１０の軸方向の両側にそれぞれ設けられる２区間の第１抗衝撃部１１と、前記第１抗衝撃部１１の軸方向の両側にそれぞれ設けられる２区間の過渡部１２と、前記過渡部１２の軸方向の両側にそれぞれ設けられる２区間の第２抗衝撃部１３と、前記抗衝撃部の軸方向の両側にそれぞれ設けられる２つのビット１４とを含んでいる。実際の必要に応じて、前記耐衝撃性ビットは、より多くの抗衝撃部を含んでもよい。本実施例では、２区間の抗衝撃部、即ち第１および第２抗衝撃部１１，１３しか挙げていない。
【０００９】
前記抗ねじり部１０は、前記耐衝撃性ビットの軸方向の長さによって異なるが、その作用は同じである。大量の実際で証明されるように、前記抗ねじり部１０の軸方向の長さが２ｃｍ未満である時、図２に示すように、前記抗ねじり部１０の中心軸に沿う断面において前記抗ねじり部１０の輪郭線は第１弧形である。当該第１弧形の直径は実際の必要に応じて設計され、一般に、前記抗ねじり部１０の最小直径は、前記ビット１４の直径よりも僅かに短いか等しいようにして、前記ビット１４で受ける衝撃力を当該抗ねじり部１０に伝えることができ、その時、当該抗ねじり部１０は、前記ビット１４が保護されるようにまず変形する。
【００１０】
前記２つの第１抗衝撃部および第２抗衝撃部１１，１３は同じ構造を有し、前記抗ねじり部１０の軸方向の両側に対称的に設けられ、その少なくともいずれかの断面形状は、前記第１抗衝撃部１１の軸方向の長さが前記第２抗衝撃部１３の軸方向の長さよりも長ければ、正六角形であってもよい。前記第１抗衝撃部１１の断面の外接円の直径は、前記第２抗衝撃部１３の断面の外接円の直径と等しく、且つ、前記第１抗衝撃部１１の断面の外接円の直径は、前記抗ねじり部１０の断面の最大直径よりも大きい。
【００１１】
前記過渡部１２は、前記第１抗衝撃部１１と第２抗衝撃部１３との間に介在され、前記抗ねじり部１０の中心軸に沿う断面における輪郭線は第３弧形である。前記耐衝撃性ビットの中心軸に対して前記第１弧形および第３弧形の少なくともいずれかの曲率は負であり、且つ、前記第１弧形の曲率は前記第３弧形の曲率よりも小さい。前記抗ねじり部１０の断面の最小直径を前記過渡部１２の断面の最小直径よりも小さくすることで、当該過渡部１２はビット１４が受ける衝撃力を迅速に抗ねじり部１０へ伝えることができるように用いられる。なお、前記耐衝撃性ビットの長さが比較的に小さい時、当該過渡部１２を省略できることはよく想到できる。
【００１２】
前記ビット１４は、直接にネジ等の締結具と接触するものであり、回動時に、特に起動時にネジからの衝撃力を受ける。前記ビット１４の構造及びサイズは標準構造であり、それは従来技術であるため、ここではさらに詳しく説明しない。
【００１３】
図３及び図４に、本考案の第２実施例が提供する耐衝撃性ビットの構造模式図の一例を示す。前記耐衝撃性ビット２００は、１区間の抗ねじり部２０と、前記抗ねじり部２０の軸方向の両側にそれぞれ設けられる２区間の第１抗衝撃部２１と、前記第１抗衝撃部２１の軸方向の両側にそれぞれ設けられる２区間の過渡部２２と、前記過渡部２２の軸方向の両側にそれぞれ設けられる２区間の第２抗衝撃部２３と、前記抗衝撃部の軸方向の両側にそれぞれ設けられる２つのビット２４とを含んでいる。
【００１４】
前記第１実施例と第２実施例との区別は、抗ねじり部の構造が異なる点だけである。第２実施例の前記抗ねじり部２０の軸方向の長さが２ｃｍよりも長く、このため、前記抗ねじり部２０の中心軸に沿う断面において前記抗ねじり部２０の輪郭線は、１区間の直線２１と、前記直線２１の両端にそれぞれ設けられる２区間の第２弧形２２とを含んでいる。前記第１弧形と第２弧形２２との直径は等しい。前記耐衝撃性ビット２００の中心軸に対して前記第２弧形および第３弧形の少なくともいずれかの曲率は負である。
【００１５】
本考案が提供する耐衝撃性ビット１００，２００は、従来技術と比較して、その中央部にはサイズの大きさに応じて異なる形状を呈する前記抗ねじり部１０，２０が設けられている。即ち、前記抗ねじり部１０の軸方向の長さが２ｃｍ未満である時、前記抗ねじり部１０の中心軸に沿う断面において前記抗ねじり部１０の輪郭線は第１弧形であり、前記抗ねじり部２０の軸方向の長さが２ｃｍよりも長い時、前記抗ねじり部２０の中心軸に沿う断面において前記抗ねじり部２０の輪郭線は、１区間の直線２１と、前記直線２１の両端にそれぞれ設けられる２区間の第２弧形２２とを含んでいる。このような構造設計は、耐衝撃性ビット１００，２００の使用時に、当該耐衝撃性ビット１００，２００の受けるねじり力をビット１４，２４に集中させることなく、主に当該抗ねじり部１０，２０に集中するように伝え、当該抗ねじり部１０、２０の受けるねじり力がその降伏限界よりも小さくて、即ち、当該ねじり力で当該抗ねじり部１０，２０がねじり切れることがなくて、当該ビット１４，２４を変形、ひいては割れ目の現像が生じないように衝撃から保護することができ、さらにその寿命を向上することができる。
【００１６】
以上は、本考案の好ましい実施例に過ぎず、本考案の保護範囲を限定するためのものではない。本考案の趣旨内の如何なる修正、同等な置換え、又は改良等は、いずれも本実用新案登録請求の範囲に含まれる。
【符号の説明】
【００１７】
１０，２０…抗ねじり部
１１，２１…第１抗衝撃部
１２，２２…過渡部
１３，２３…第２抗衝撃部
１４，２４…ビット
１００，２００…耐衝撃性ビット
【図１】
0003219704.tif 000003
【図２】
0003219704.tif 000004
【図３】
0003219704.tif 000005
【図４】
0003219704.tif 000006